(57)【特許請求の範囲】
【請求項１】
釣糸に係合する糸係合部を有し、糸係合部に係合された釣糸に沿って海中に誘導されるイカ釣り用ヤエンであって、
上記糸係合部は、
上記釣糸と転がり接触する回転自在なプーリが設けられたプーリ機構と、
上記プーリの上記誘導される方向に隣接配置され、上記釣糸が上記プーリから離脱するのを規制する離脱規制部材とを有し、
当該離脱規制部材は、
上記釣糸が上記プーリの軸方向にずれた場合に当該釣糸が当該プーリから外れるのを規制すべく上記プーリの軸方向寸法に対応する幅寸法を有する釣糸挿通孔を備えているイカ釣り用ヤエン。
【請求項２】
上記プーリ機構は、
上記プーリを片持ち状に支持する支持ピンを備え、
上記プーリは、アンチラストベアリングを介して上記支持ピンに支持されている請求項１に記載のイカ釣用ヤエン。
【請求項３】
上記プーリ機構は、
上記プーリと、当該プーリを回転自在に支持する支持フレームとを有し、
当該支持フレームの一部は、上記プーリの周面と所定の隙間を有して対向すると共に上記プーリの側面と面一状態となるように形成されており、且つ当該支持フレームの一部のうち少なくとも上記プーリの周面と対向する部分に、当該支持フレームの外側へ開くＣ面が形成されている請求項１又は２に記載のイカ釣用ヤエン。
【請求項４】
上記隙間は、上記プーリの周面に沿う円弧状に形成されている請求項３に記載のイカ釣用ヤエン。
【請求項５】
上記プーリ機構は、
互いに径方向に沿って対向配置された一対のプーリを備えている請求項１ないし４のいずれかに記載のイカ釣用ヤエン。
【請求項６】
上記プーリ機構は、
上記一対のプーリが、互いに近接される近接姿勢と、互いに離反される離反姿勢との間で姿勢変化を許容する姿勢変化機構を備えている請求項５に記載のイカ釣用ヤエン。
【請求項７】
上記姿勢変化機構は、
一方のプーリを他方のプーリ側へ弾性付勢する弾性部材を備えている請求項６に記載のイカ釣用ヤエン。
【請求項８】
上記プーリは、
断面が略Ｖ字状の糸係合溝を有し、
当該糸係合溝は、その底部に上記釣糸が遊嵌し得る断面が略円形の糸遊嵌部を備えている請求項１ないし７のいずれかに記載のイカ釣用ヤエン。
【発明の詳細な説明】
【０００１】
【発明の属する技術の分野】
この発明は、イカ釣り用に使用される仕掛け、すなわちヤエンに関するものである。
【０００２】
【従来の技術及び発明が解決しようとする課題】
イカ釣りには従来からヤエンと呼ばれる仕掛けが提供されている。従来のヤエンの構造は、図１１が示すようなものである。
【０００３】
ヤエン１は、先端にベイトフィシュ２が取り付けられた釣糸３に引っ掛けられて海中へ誘導されるようになっている。すなわちヤエン１は、海中で泳ぐベイトフィシュ２にイカが食いついたときに、ヤエン１を釣糸３に引っかけて釣糸３に沿ってベイトフィシュ２側へスライドされるものである。
【０００４】
このヤエン１の先端には掛針４，５が取り付けられており、これらがベイトフィシュ２に食いついたイカに掛かるようになっている。ヤエン１は、金属製の本体６を備えている。本体６の先端には上記掛針４，５が取り付けられ、本体６の基端側には、釣糸３に係合するための釣糸ガイド７，８が設けられている。なお、ヤエン１が海中へ円滑に誘導されるために、本体６には重錘９が設けられている。
【０００５】
ところで、従来のヤエン１は、釣糸３を引っ掛ける部分（糸係合部）も金属で形成されている。このため、糸係合部に傷がついたり、また海水により腐食する場合があり、それにより釣糸３の滑りが悪くなることがある。このように釣糸３の滑りが悪くなれば、ヤエン１を素早くイカに引っ掛けることが困難となり、釣果に悪影響を及ぼす。
【０００６】
そこで、本発明の目的は、永年使用しても釣糸の円滑な滑りを実現するヤエンを提供することである。
【０００７】
【課題を解決するための手段】
(1) 上記目的を達成するためのイカ釣用ヤエンは、釣糸に係合され、釣糸に沿って海中に誘導されるイカ釣用ヤエンであって、上記釣糸に係合する糸係合部を備え、当該糸係合部の少なくとも釣糸と係合する部分は海水と相互作用を起こさない材料で構成されていることを特徴とするものである。
【０００８】
この構成によれば、イカ釣用ヤエンの釣糸と係合する部分が海水によって腐食、劣化することがないので、当該部分が釣糸に係合した場合に、両者は常に円滑な滑りを実現することができる。
【０００９】
特に上記釣糸と摺接する部分は、セラミックス、サーメット又はゴールドサーメットを採用することができる。また、上記釣糸と摺接する部分は、チタンコーティング、フッ素系樹脂によるコーティングが施されていてもよい。
【００１０】
(2) また、上記糸係合部は上記釣糸と摺接するガイド部材を備え、当該ガイド部材によって上記釣糸と摺接する部分が構成されていてもよい。
【００１１】
この構成によれば、ガイド部材が別部材として構成され、これが糸係合部に組み付けられる。したがって、上記イカ釣用ヤエンの組み立てが容易となる。
【００１２】
特に上記ガイド部材は、円弧状又は略リング状に形成されていることが好ましい。
かかる形状とされることによって、ガイド部材の形成が容易となることに加え、ガイド部材が釣糸に沿って滑る際に、釣糸とガイド部材との相対的位置が変化しても、釣糸とガイド部材との摺接状態が確保される。
【００１３】
(3) また、上記目的を達成するため、本願に係るイカ釣用ヤエンは、釣糸に係合する糸係合部を有し、糸係合部に係合された釣糸に沿って海中に誘導されるイカ釣り用ヤエンであって、上記糸係合部は、上記釣糸と転がり接触する回転自在なプーリが設けられたプーリ機構と、上記プーリの上記誘導される方向に隣接配置され、上記釣糸が上記プーリから離脱するのを規制する離脱規制部材とを有し、当該離脱規制部材は、上記釣糸が上記プーリの軸方向にずれた場合に当該釣糸が当該プーリから外れるのを規制すべく上記プーリの軸方向寸法に対応する幅寸法を有する釣糸挿通孔を備えていることを特徴とするものである。
【００１４】
この構成によれば、ヤエンは、釣糸と糸係合部とが転がり接触しながら海中へ誘導される。すなわち、釣糸に対して糸係合部が転がり接触するものであって、摺動するものではない。したがって、海水による糸係合部の腐食等の有無に関係なく、釣糸と糸係合部との間に生じる接触抵抗はきわめて小さく、釣糸と糸係合部とは、常に円滑な滑りが実現される。
【００１５】
この離脱規制部材によって、釣糸は確実にプーリと係合する。したがって、実釣において、風や波等によってヤエンに予定されない外力が加わった場合であっても、ヤエンは、釣糸から脱落することがない。
【００１６】
上記離脱規制部材は、上記プーリの軸方向寸法に対応する幅寸法を有する細長の釣糸挿通孔を備えている。
【００１７】
釣糸が釣糸挿通孔に挿通されることによって、釣糸は、プーリの軸方向については当該プーリの軸方向寸法内で移動することができる。すなわち、上記釣糸が上記プーリの軸方向にずれた場合に当該釣糸が当該プーリから外れるのが規制される。これにより、プーリからの釣糸の脱落が防止される。したがって、釣糸と糸係合部とは、常に円滑な滑りが実現される。
【００１８】
(4) 上記プーリ機構は、上記プーリを片持ち状に支持する支持ピンを備え、上記プーリは、アンチラストベアリングを介して上記支持ピンに支持されている構成とすることもできる。アンチラストベアリングは、海水等に対してきわめて高い耐腐食性がある。したがって、プーリは、ベアリングの腐食に起因して回転性能が低下することがなく、長期にわたって円滑な回転が可能となる。これにより、釣糸と糸係合部とは、長期にわたって円滑な滑りが実現される。
【００１９】
また、上記プーリ機構は、上記プーリと、当該プーリを回転自在に支持する支持フレームとを有し、当該支持フレームの一部は、上記プーリの周面と所定の隙間を有して対向すると共に上記プーリの側面と面一状態となるように形成されており、且つ当該支持フレームの一部のうち少なくとも上記プーリの周面と対向する部分に、当該支持フレームの外側へ開くＣ面が形成されていてもよい。
【００２０】
この構成によれば、釣糸は、プーリと支持フレームとの隙間からプーリ内へ導入される。このとき、支持フレームの上記プーリと対向する面にＣ面が形成されているから、釣糸は、上記隙間からプーリ内へ簡単に導入される。その一方、支持フレームは、上記プーリの周面と所定の隙間を有して対向配置されているから、釣糸が一旦プーリ内へ導入された後は、簡単にプーリから外れることはない。上記隙間は、上記プーリの周面に沿う円弧状に形成されているのが好ましい。
【００２１】
(5) 上記プーリ機構は、互いに径方向に沿って対向配置された一対のプーリを備えていてもよい。この構成では、釣糸は、一対のプーリ間に挟み込まれた状態となるから、釣糸がヤエンから容易に脱落することがない。
【００２２】
また、上記プーリ機構は、上記一対のプーリが、互いに近接される近接姿勢と、互いに離反される離反姿勢との間で姿勢変化を許容する姿勢変化機構を備えていてもよい。
【００２３】
この姿勢変化機構により、一対のプーリが近接し、又は離反することができる。したがって、釣糸がヤエンに係合されるときは、一対のプーリが互いに離反姿勢に変化される。これにより、釣糸は簡単にプーリと係合する。一方、一対のプーリが互いに近接姿勢に変化されることにより、釣糸がヤエンから容易に脱落することがない。
【００２４】
さらに、上記姿勢変化機構は、一方のプーリを他方のプーリ側へ弾性付勢する弾性部材を備えていてもよい。
この構成では、弾性部材によって一方のプーリが他方のプーリ側へ弾性付勢されているから、当該弾性力に抗して一方のプーリが他方のプーリから離反させる方向に変位されることにより、上記姿勢変化が容易に行われる。
【００２５】
(6) 上記プーリは、断面が略Ｖ字状の糸係合溝を有し、当該糸係合溝は、その底部に上記釣糸が遊嵌し得る断面が略円形の糸遊嵌部を備えていてもよい。この構成によれば、プーリ内へ導入された釣糸は、糸遊嵌部に嵌め込まれるので、釣糸の脱落が一層確実に防止される。したがって、釣糸と糸係合部とは、円滑な滑りが実現される。
【００２６】
【発明の実施の形態】
以下、適宜図面が参照されつつ、好ましい実施形態に基づいて本発明が詳細に説明される。
【００２７】
＜実施参考例＞
図１は、本発明の実施参考例に係るイカ釣用ヤエン（以下、単に「ヤエン」と称される）１０の斜視図である。
【００２８】
このヤエン１０は、釣糸Ｌに引っ掛けられて釣糸Ｌに沿って海中に誘導・沈下されるようになっている。ヤエン１０は、本体１１と、本体１１の先端側に設けられた掛針１２，１３と、上記釣糸Ｌが挿通される糸係合部１４，１５とを備えている。
【００２９】
本体１１及び掛針１２，１３は、例えばステンレス鋼等により構成されている。掛針１２，１３は、高炭素鋼等により構成されていてもよい。また、本体１１は、図が示すように、断面が円形の細長棒状に形成されている。このため、ヤエン１０が海中に誘導された際に、水の抵抗が小さく速やかに沈下するようになっている。具体的には、本体１１は、ステンレス線材等を使用して構成される。
なお、本実施参考例では、ヤエン１０が速やかに沈下するように、重錘１７が設けられている。この重錘１７は、鉛等により構成されている。
【００３０】
糸係合部１５は、本体１１に連続して形成されている。すなわち、糸係合部１５は、本体１１の基端部が略９０度に屈曲されて構成されており、さらにその上端部が、図に示されたように環状に形成されている。そして、この環状に形成された部分にガイド部材１８が装着されている。
【００３１】
図２は、糸係合部１５の拡大斜視図であり、図３は、ガイド部材１８の拡大斜視図である。
【００３２】
ガイド部材１８は、図が示すように、半円形状を呈しており、例えばＳｉＣ（シリコンカーバイド）により構成されている。ガイド部材１８の外周面１９には、周方向に沿って溝２０が形成されている。この溝２０の内面形状は、半円形に形成されている。ガイド部材１８の幅寸法ｄは、本体１１の外径に対応するために適宜設計変更される。
【００３３】
本実施参考例では、本体１１の外径は１．５ｍｍ、ガイド部材１８の幅寸法ｄは３．５ｍｍである。なお、これらの寸法は、かかる寸法に限定されるものではなく、適宜設計変更が可能であることは言うまでもない。
【００３４】
ガイド部材１８は、本体１１の上記環状に形成された部分に嵌め込まれている。すなわち、本体１１は、ガイド部材１８の溝２０に嵌め込むようにして取り付けられており、例えば接着剤等を用いて両者が固着されている。
【００３５】
本実施参考例では、ガイド部材１８がＳｉＣにより構成されているが、これに限定されるものではなく、一般にセラミックスによりガイド部材１８を構成することができる。また、ガイド部材１８の材料としては、セラミックスのほかに、サーメットあるいはゴールドサーメットが採用される。
【００３６】
サーメットが採用されるときは、特に種類は限定されないが、例えばＴｉＣ基サーメットが採用される。また、ゴールドサーメットが採用されるときは、例えばサーメット母材としてＴｉＣ基サーメットが採用され、コーティング層としては、外層がＴｉＮ，内層が（Ｔｉ，Ａｉ）Ｎ系複合化合物が採用される。
【００３７】
また、ガイド部材１８の内周面２５は、内側に凸となる曲面に形成されている。このように内周面２５が曲面に形成されることにより、ガイド部材１８の割れ等の損傷が防止される。
【００３８】
一方、糸係合部１４は、フレーム２１と、ガイド部材２２とを有している。
フレーム２１は、上記本体１１と同様に細長棒状部材（ステンレス線材等）を用いて構成されている。フレーム２１の一端部は、上記本体１１に固定されている。この固定手段としては、例えば布製又は樹脂製の糸１６によって、本体１１に締結する手段や、溶接等が採用される。
【００３９】
フレーム２１の他端部側は、上記糸係合部１５と同様に、環状に湾曲形成されており、その内部にガイド部材２２が嵌め込まれている。フレーム２１の他端部側の構成及びガイド部材２２の構成は、上記糸係合部１５と同様であるので、それらの説明は省略される。
【００４０】
掛針１２，１３は、一般的なイカ釣用の針を採用することができ、本実施参考例では、本体１１の所定の位置に所要の固着部材２３を用いて固定されている。固着部材２３としては、掛針１２，１３を本体１１に締結するための布製又は樹脂製の糸や、接着剤等が採用される。また、掛針１２，１３は、直接本体１１に溶接されていてもよい。
【００４１】
ヤエン１０が海中に誘導される際には、釣糸Ｌが糸係合部１４，１５に係合される。その場合に、釣糸Ｌ（図２参照）は、本体１１の環状に形成された部分の下端部２４から内部に押し込まれるようにして案内される。糸係合部１４についても同様である。これにより、釣糸Ｌと糸係合部１４，１５とは、摺動自在に係合することになる。つまり、ヤエン１０は、釣糸Ｌに沿って海中に沈下するようになっている。
【００４２】
本実施参考例に係るヤエン１０は、次のようにして使用される。
【００４３】
釣糸Ｌの先端に取り付けられた餌（図示せず）にイカが食いついた場合には、釣人は、釣糸Ｌをヤエン１０の糸係合部１４，１５に係合させ、釣糸Ｌに沿ってヤエン１０を海中に誘導・沈下させる。ヤエン１０がイカに到達した場合には、掛針１２及び掛針１３がイカに掛かり、釣人はヒットしたイカを取り込むことができる。
【００４４】
このとき、糸係合部１５，１４のうちガイド部材１８，２２が釣糸Ｌと摺動するが、ガイド部材１８，２２はＳｉＣにより構成されているから、釣糸Ｌとガイド部材１８，２２との間で円滑な滑りが実現される。しかも、ＳｉＣは、海水と相互作用を起こさない材質であるから、ヤエン１０が繰り返し使用されたとしても、ガイド部材１８，２２と釣糸Ｌとの間で滑りが悪くなることがない。
なお、この場合「相互作用を起こさない」とは、海水によって劣化したり、腐食したりせず、釣糸Ｌとガイド部材１８，２２との間で滑りが悪くなるような変化を起こさないことをいう。
【００４５】
また、ガイド部材１８，２２の内周面２５が前述のような曲面に形成されているので、釣糸Ｌはガイド部材１８，２２といわゆる点接触の状態となる。これにより、釣糸Ｌの滑りが一層良くなるという利点がある。もっとも、当該内周面２５は平面に構成されていてもよい。
【００４６】
さらに、ガイド部材１８，２２がサーメットにより構成されれば、ガイド部材１８，２２の機械的性質として靭性が増し、衝撃力等の外力が加わることによるガイド部材１８，２２の破損が抑制される。また、ガイド部材１８，２２がゴールドサーメットにより構成されれば、靭性に加えて、釣糸Ｌとガイド部材１８，２２との間の滑りがより一層良くなるという利点がある。
【００４７】
本実施参考例に係るヤエン１０は、次のような設計変更が施される。
【００４８】
まず、ガイド部材１８，２２は、独立した別部品として構成されているが、糸係合部１４，１５の釣糸Ｌと摺接する部分のみ、又は糸係合部１４，１５全体がサーメット等により構成されていてもよい。このような構成であっても、前述したと同様に、永年ヤエン１０が使用されても、釣糸Ｌとガイド部材１８，２２との間の滑りが悪くなることはない。
【００４９】
また、糸係合部１４，１５のうち釣糸Ｌと摺接する部分が、チタン合金（例えば（Ｔｉ，Ａｉ）Ｎ系複合化合物等）によりコーティングされていてもよい。この場合、釣糸Ｌと糸係合部１４，１５との間の滑りがきわめて良くなるうえ、繰り返しヤエン１０が使用されても滑りが悪化することはない。
【００５０】
その他、糸係合部１４，１５のうち釣糸Ｌと摺接する部分が、フッ素系樹脂によりコーティングされていてもよいし、フッ素系樹脂により形成されたチューブが嵌め込まれていてもよい。
要するに、釣糸Ｌと摺接する部分が海水と相互作用を起こさないように所要の手段が講じられていればよい。
【００５１】
加えて、本実施参考例では、ガイド部材１８，２２が半円形状に形成されているが、これがリング状に形成され、上記本体１１及びフレーム２１に嵌め込まれていてもよい。ただし、釣糸Ｌはガイド部材１８，２２の内部に挿入される必要があるため、ガイド部材１８，２２は、その一部に切欠等が設けられている必要がある。
【００５２】
このようにすれば、ヤエン１０が海中に誘導される際に、釣糸Ｌとガイド部材１８，２２との相対的位置が変化しても、常に釣糸Ｌとガイド部材１８，２２との間で良好な滑りが実現される。
【００５３】
＜実施形態＞
図４は、本発明の一実施形態に係るヤエン３０の要部斜視図である。
【００５４】
本実施形態に係るヤエン３０が上記実施参考例に係るヤエン１０と異なるところは、ヤエン１０では上記ガイド部材２２を有する糸係合部１４が設けられていたのに対し（図１参照）、ヤエン３０は、プーリ機構３１を有する糸係合部３２が設けられている点である。
【００５５】
このプーリ機構３１は、後述するプーリ３４を備えており、釣糸Ｌはプーリ３４と転がり接触する。これにより、釣糸Ｌと糸係合部３２とは円滑な滑りが実現されるようになっている。
また、上記ヤエン１０では、上記糸係合部１５がガイド部材１８を備えていたが、本実施形態に係るヤエン３０では、かかるガイド部材１８を備えていない。しかし、釣糸Ｌがプーリ３３と転がり接触するので、後に詳述するように、ヤエン３０は、釣糸Ｌに沿って円滑に誘導される。もっとも、糸係合部１５は、上記ガイド部材１８を備えていてもよい。
なお、ヤエン３０のその他の構成については、上記実施参考例に係るヤエン１０と同様である。
【００５６】
図５は、図４における部分拡大斜視図であって、糸係合部３２の構造を詳細に示している。また、図６は図５におけるＡ−矢視図であり、図７は、図６におけるVII−VII断面図である。
【００５７】
糸係合部３２は、図４が示すように、上記プーリ機構３１と、離脱規制部材３３とを有している。
プーリ機構３１は、プーリ３４と、プーリ３４を後述する支持機構３５を介して支持する支持フレーム３６とを有している。
【００５８】
支持フレーム３６は、図５が示すように、フレーム本体３７と脚部３８とを有する。
脚部３８は、本体１１と同様に、例えばステンレス線材等により構成されている。脚部３８は、略コ字状に形成されており、一端部が本体１１に固定されている。脚部３８は、図が示すように、例えばかしめ部材３９を用いて本体１１にかしめられている。
また、脚部３７の他端部は、フレーム本体３７に固着されている。当該固着構造については後述される。
【００５９】
フレーム本体３７は、例えばステンレス鋼（ＳＵＳ３０４）等により構成されている。フレーム本体３７は、図７が示すように、本体上部４０と本体下部４１とを有し、これらが一体的に形成されている。本体下部４１は、図６及び図７が示すように、図中右側部分が中空構造に形成されており、図中左側が中実構造に形成されている。
そして、上記脚部３８の他端部は、本体下部４１の図中右側から本体下部４１に挿入され、本体下部４１の中実部分を貫通している。これにより、脚部３８の他端部が本体下部４１に固定されている。
【００６０】
本体上部４０は、断面形状が略コ字状となるように形成されており、一対の側板４２，４３を有している。プーリ３４は、この側板４３に支持されている。
側板４２（支持フレームの一部）は、側板４３よりも高さ寸法が小さく設定されている。図６が示すように、側板４２の上縁（プーリの周面と対向する部分）は、側板４３に支持されたプーリ３４の周面に沿うように円弧状に形成されている。そして、この側板４２の上縁とプーリ３４の周面との間に、隙間４４が形成されている。この隙間４４は、後述するように釣糸Ｌが挿通されるためのものであり、その寸法は釣糸Ｌの太さに対応させて適宜設定される。
【００６１】
また、上記側板４２の上縁には、図７が示すように、Ｃ面４５が形成されている。これにより、側板４２の上縁は、側板４２の外側に向かって開いた傾斜面となっている。
さらに、上記側板４２の外側面４６は、プーリ３４の外側面４７と同一鉛直面上に存在している。つまり、側板４２の外側面４６とプーリ３４の外側面４７とは、いわゆる面一状態となるように配置されている。
上記Ｃ面４５の機能及び上記側板４２とプーリ３４とが面一状態に配置されていることによる作用については、後述される。
【００６２】
側板４３は、プール３４の軸方向に沿って側板４２と対向配置されており、図７が示すように、プーリ３４の外側面４８側に配置されている。側板４３には、ピン挿通孔４９が設けられている。このピン挿通孔４９は、後述する支持ピン５０が挿通支持されるようになっている。
【００６３】
プーリ３４は、例えばポリアセタール（ＰＯＭ）等により構成されている。図７が示すように、プーリ３４は、略Ｖ字状の溝５１（糸係合溝）が形成されている。ヤエン３０が釣糸Ｌに係合するときは、釣糸Ｌが溝５１に嵌り込むようになっている。
また、プーリ３４の周面に、Ｃ面５８が形成されている。このＣ面５８の機能については後述される。
【００６４】
プーリ３４は、支持機構３５によって上記フレーム本体３７に支持されている。
支持機構３５は、支持ピン５０と、ブッシュ５２と、軸受５３と、スペーサ５４とを有している。
【００６５】
軸受５３は、本実施形態ではボール軸受が採用されている。図７が示すように、軸受５３の外輪は、プーリ３４の内側に嵌め込まれている。
ブッシュ５２は、例えばステンレス鋼（ＳＵＳ３０４）等により構成されている。ブッシュ５２は、円筒状に形成されており、軸受５３の内輪の内側に嵌め込まれている。ブッシュ５２の内面には、雌ねじが形成されている。
また、スペーサ５４は、例えばステンレス鋼（ＳＵＳ３０４）等により構成されている。スペーサ５４は、リング状に形成されており、フレーム本体３７の側板４３と軸受５３との間に介在され、軸受５３の位置決めを行っている。
【００６６】
支持ピン５０は、例えばステンレス鋼（ＳＵＳ３０４）等により構成されている。支持ピン５０の軸部には雄ねじが形成されている。支持ピン５０は、上記側板４３の外側から上記ピン挿通孔４９に挿通され、スペーサ５４及びブッシュ５１を貫通している。支持ピン５０の雄ねじとブッシュ５１の雌ねじが噛み合っており、支持ピン５０が締め込まれることによって、軸受５３、ブッシュ５２及びスペーサ５４と共にプーリ３４が片持ち状に支持される。
このようにプーリ３４が支持されることによって、プーリ３４は、支持ピン５０を中心として回転自在となっている。
【００６７】
次に、離脱規制部材３３は、本体１１と同様に、例えばステンレス線材等により構成されている。図４が示すように、離脱規制部材３３は、脚部５５と環状部５６とを有している。
【００６８】
脚部５５は、図５が示すように略直角に屈曲されており、本体１１に固定されている。脚部５５は、例えばかしめ部材３９を用いて本体１１にかしめられている。つまり、本実施形態では、離脱規制部材３３の脚部５５と上記支持フレーム３６の脚部３８とが、共にかしめ部材３９によって本体１１にかしめられている。
なお、脚部５５と上記脚部３８とが一体的に形成されていてもよい。
【００６９】
上記環状部５６は、脚部５５に連続して形成されており、図４が示すように、湾曲されて環状に形成されている。この環状に形成された部分によって、釣糸挿通孔５７が構成されている。釣糸Ｌは、釣糸挿通孔５７に挿通される。
釣糸挿通孔５７は、図４が示すように、細長形状を呈しており、環状部５６は、プーリ３４の径方向に延びている。
【００７０】
釣糸挿通孔５７の幅方向寸法は、プーリ３４の軸方向寸法（支持ピン５０の軸方向寸法）に対応しており、長手方向寸法は、プーリ３４の径方向寸法に対応している。なお、釣糸挿通孔５７の長手方向寸法は、プーリ３４の径方向寸法よりも大きく設定されていてもよい。
【００７１】
本実施形態に係るヤエン３０は、上記実施参考例に係るヤエン１０と同様に、次のようにして使用される。
【００７２】
釣糸Ｌの先端に取り付けられた餌（図示せず）にイカが食いついた場合には、釣人は、釣糸Ｌをヤエン３０の糸係合部３２，１５に係合させ、釣糸Ｌに沿ってヤエン３０を海中に誘導・沈下させる。
ヤエン３０がイカに到達した場合には、掛針１２及び掛針１３（図１参照）がイカに掛かり、釣人はヒットしたイカを取り込むことができる。
【００７３】
このとき、釣糸Ｌと糸係合部３２とが転がり接触し、ヤエン３０は円滑に海中へ誘導される。すなわち、釣糸Ｌに対して糸係合部３２が転がり接触するものであって、摺動するものではない。
したがって、海水による糸係合部３２の腐食等の有無に関係なく、釣糸Ｌと糸係合部３２との間に生じる接触抵抗はきわめて小さい。そのため、釣糸Ｌと糸係合部３２とは、常に円滑な滑りが実現される。その結果、ヤエン３０は、永年使用されても、釣糸Ｌの滑りが悪化しない。
【００７４】
また、糸係合部３２に離脱規制部材３３が設けられているので、釣糸Ｌは確実にプーリ３４と係合する。したがって、実釣において、風や波等によってヤエン３０に予定されない外力が加わった場合であっても、ヤエンは、釣糸Ｌから脱落することがない。
【００７５】
特に、この離脱規制部材３３は、上記釣糸挿通孔５７を有し、釣糸Ｌはこの釣糸挿通孔５７に挿通される。そして、釣糸挿通孔５７は、プーリ３４の軸方向寸法に対応する幅寸法を有するので、釣糸Ｌが横方向、すなわちプーリ３４の軸方向にずれた場合であっても、離脱規制部材３３に当接するので、釣糸Ｌがプーリ３４から外れることはない。
【００７６】
しかも、釣糸挿通孔５７は、プーリ３４の径方向に沿って延びているから、ヤエン３０を海中へ誘導するときに、釣糸Ｌがプーリ３４の径方向にずれた場合であっても、すなわち、図４においてヤエン３０が下方へ傾斜した場合であっても、釣糸Ｌが離脱規制部材３３と当接することがない。したがって、釣糸Ｌは、プーリ３４と確実に係合する。
【００７７】
よって、釣糸Ｌと糸係合部３２とは、常に円滑な滑りが実現され、ヤエン３０は、常に円滑に海中へ誘導される。
【００７８】
また、上記プーリ機構３１は、プーリ３４を軸受５３を介して回転自在に支持しているから、プーリ３４は、きわめて円滑に回転することができる。これにより、ヤエン３０は、釣糸Ｌに沿って一層円滑に移動することができる。
特に、軸受５３は、アンチラストベアリングが採用されるのが好ましい。アンチラストベアリングは、海水等に対してきわめて高い耐腐食性がある。したがって、プーリ３４は、ベアリングの腐食に起因して回転性能が低下することがなく、長期にわたって円滑な回転が可能となる。
なお、本実施形態では、軸受５３としてボール軸受が採用されているが、これに限定されるものではなく、すべり軸受等が採用されていてもよい。
【００７９】
また、釣糸Ｌが糸係合部３２に係合されるときは、プーリ３４と支持フレーム３６との隙間４４からプーリ３４内へ導入される。支持フレーム３６のフレーム本体３７は、図６が示すように、プーリ３４の周面に沿って湾曲されているが、支持フレーム３６に上記Ｃ面４５が形成されているから、釣糸Ｌは、上記隙間４４からプーリ３４内へ簡単に導入される。
【００８０】
その一方、フレーム本体３７が前述のように湾曲され、しかもプーリ３４の周面と対向配置されているから、釣糸Ｌが一旦プーリ３４内へ導入された後は、簡単にプーリ３４から外れることはない。
加えて、本実施形態では、プーリ３４の周面に上記Ｃ面５８が設けられているので、釣糸Ｌはプーリ３４内に容易に挿入されると共に、プーリ３４から一層外れにくくなる。
【００８１】
次に、本実施形態の変形例が説明される。
【００８２】
図８は、本実施形態の変形例に係る糸係合部６０の正面図であり、図９は、図８における一部断面左側面図である。
【００８３】
この変形例の特徴とするところは、ヤエン３０がプーリ機構６０を備えており、このプーリ機構６０は、一対のプーリ６１，６２を備えている点である。
これらプーリ６１，６２は、支持フレーム６３によって支持されており、プーリ６１は、プール６２に対して姿勢が変化するようになっている。具体的には、プーリ６１は、後述される姿勢変化機構６４によって、プーリ６２に対して近接し、離反することができるようになっている。
【００８４】
プーリ６１，６２は、上記プーリ３４と同様の材料で構成されており、同様の寸法に仕上げられている。プーリ６１，６２は、上下方向（図４において本体１１の長手方向に直交する方向）に沿って対向配置されている。なお、本変形例では、プーリ３４に設けられたＣ面５８を備えていないが、Ｃ面５８と同様のＣ面が形成されていてもよい。
プーリ６１は、上記支持ピン５０と同様の支持ピン５０によって支持されている。また、プーリ６２は、支持ピン６５によって支持されており、この支持ピン６５は、支持ピン５０よりも軸部の長さ寸法が長く設定されている。
【００８５】
支持フレーム６３は、フレーム本体６６と脚部６７とを有している。
脚部６７は、上記脚部５５と同様に例えばステンレス線材により構成されており、本体１１（図１参照）にかしめられて固定されている。
脚部６７とフレーム本体６６とは、一体的に形成されている。
【００８６】
フレーム本体６６は、図９が示すように、略Ｌ字状に形成されている。フレーム本体６６の側部は、図９が示すように二重壁に形成されており、内板６８と外板６９とを備えている。
内板６８及び外板６９には、図９が示すように貫通孔７０が設けられている。この貫通孔７０は、図８が示すように、長穴に形成されており、プーリ６１，６２の径方向に沿って延びている。
【００８７】
姿勢変化機構６４は、上記支持ピン６５と、上記内板６８及び外板６９と、ばね７１（弾性部材）とを有している。
プーリ６１は、図９が示すように、支持ピン５０によってフレーム本体６６の下方に回転自在な状態で固定されている。
一方、プーリ６２は、支持ピン６５によって回転自在な状態で支持されており、この支持ピン６５が、図９が示すように、内板６８及び外板６９に支持されている。
【００８８】
上記ばね７１は、内板６８と外板６９に支持ピン６５が挿入された状態で、内板６８、外板６９及び支持ピン６５によって区画される空間に配置されている。したがって、支持ピン６５は、下方へ弾性付勢されている。支持ピン６５は、上記貫通孔７０に挿通されているから、ばね７１の弾性力に抗して支持ピン６５が上方へ移動することもでき、その場合には、支持ピン６５と共にプーリ６２が上方へ移動する。
【００８９】
すなわち、プーリ６２は、常時プーリ６１に近接するように弾性付勢されており、必要に応じて支持ピン６５がスライドされることによって上方に移動され、これにより、プーリ６２は、プーリ６１から離反することができる。プーリ６２がプーリ６１に近接した姿勢が近接姿勢と定義され、プール６１から離反した姿勢が離反姿勢と定義される。
【００９０】
この変形例に係るヤエン３０では、プーリ機構６が、互いに径方向に沿って対向配置された一対のプーリ６１，６２を備えているから、釣糸Ｌがヤエン３０に係合したときは、釣糸Ｌは、一対のプーリ６１，６２間に挟み込まれた状態となる。これにより、釣糸Ｌは、ヤエン３０から容易に脱落することがなく、ヤエン３０は、円滑に海中へ誘導される。
【００９１】
また、プーリ機構６０は、上記姿勢変化機構６４を備えているから、プーリ６１，６２は、互いに近接し、又は離反することができる。
したがって、釣糸Ｌがヤエン３０に係合されるときは、プーリ６１，６２が互いに離反姿勢に変化される。これにより、釣糸Ｌは簡単にプーリ６１，６２と係合する。また、釣糸Ｌは、ヤエン３０から容易に取り外される。一方、プーリ６１，６２が互いに近接姿勢に変化されることにより、釣糸Ｌがプーリ６１，６２の間に挟み込まれるから、釣糸Ｌがヤエン３０から容易に脱落することがない。これにより、ヤエン３０は、釣糸Ｌに沿って円滑に海中へ誘導される。
【００９２】
特に、本変形例では、プーリ６２がばね７１によってプーリ６１側へ弾性付勢されているから、釣糸Ｌは、常時プーリ６１，６２によって挟み込まれた状態となる。したがって、釣糸Ｌのヤエン３０からの脱落が、確実に防止される。
また、ばね７１の弾性力に抗して支持ピン６５がスライドされることによって、プーリ６２が容易に離反姿勢に姿勢変化される。したがって、釣糸Ｌは、ヤエン３０に対してきわめて簡単に着脱され、実釣において、ヤエン３０の装着、取り外しが簡単である。
【００９３】
なお、上記実施形態及び変形例においては、プーリ３４，６１，６２は、それぞれ同様の溝５１を備えているが、各プーリ３４，６１，６２は、図１０が示すような溝７２を備えていてもよい。
【００９４】
すなわち、各プーリ３４，６１，６２は、溝７２の底部に、糸遊嵌部７３を備えていてもよい。この糸遊嵌部７３は、釣糸Ｌが遊嵌し得る部分であって、断面が略円形の環状溝である。
この糸遊嵌部７３が備えられることにより、プーリ３４，６１，６２内へ導入された釣糸Ｌは、糸遊嵌部７３に嵌め込まれる。したがって、釣糸Ｌの脱落が一層確実に防止されるという利点がある。
【００９５】
また、上記実施形態、変形例及び実施参考例では、ヤエン１０，３０にプーリ機構３１，６０が１つのみ設けられているが、これらプーリ機構３１，６０が複数設けられていてもよい。
【００９６】
【発明の効果】
以上のように本発明によれば、釣糸と摺接する部分がセラミック等の海水と相互作用を起こさない材料で構成されているから、永年使用しても釣糸の滑りが悪化しないヤエンが提供される。
【図面の簡単な説明】
【図１】  図１は、本発明の実施参考例に係るヤエンの斜視図である。
【図２】  図２は、本発明の実施参考例に係るヤエンの糸係合部の拡大斜視図である。
【図３】  図３は、本発明の実施参考例に係るガイド部材の拡大斜視図である。
【図４】  図４は、本発明の一実施形態に係るヤエンの要部斜視図である。
【図５】  図５は、図４における部分拡大斜視図であり、糸係合部の構造を詳細に示している。
【図６】  図６は図５におけるＡ−矢視図である。
【図７】  図７は、図６におけるVII−VII断面図である。
【図８】  図８は、本発明の一実施形態の変形例に係る糸係合部の正面図である。
【図９】  図９は、図８における一部断面左側面図である。
【図１０】  図１０は、プーリの設計変更例を示す図であり、プーリの断面図である。
【図１１】  図１１は、従来のヤエンの構造が示された図である。
【符号の説明】
１０・・・ヤエン
１１・・・本体
１２・・・掛針
１３・・・掛針
１４・・・糸係合部
１５・・・糸係合部
１８・・・ガイド部材
１９・・・外周面
２０・・・溝
２１・・・フレーム
２２・・・ガイド部材
２５・・・内周面
３０・・・ヤエン
３１・・・プーリ機構
３２・・・糸係合部
３３・・・離脱規制部材
３４・・・プーリ
３５・・・支持機構
３６・・・支持フレーム
３７・・・フレーム本体
４２・・・側板
４３・・・側板
４４・・・隙間
４５・・・Ｃ面
５０・・・支持ピン
５１・・・溝
５２・・・ブッシュ
５３・・・軸受
５４・・・スペーサ
５６・・・環状部
５７・・・釣糸挿通孔
５８・・・Ｃ面
６０・・・プーリ機構
６１・・・プーリ
６２・・・プーリ
６３・・・支持フレーム
６４・・・姿勢変化機構
６５・・・支持ピン
６６・・・フレーム本体
６８・・・内板
６９・・・外板
７０・・・貫通孔
７１・・・ばね
７２・・・溝
７３・・・糸遊嵌部
【図１】
0003993021.tif 000002
【図２】
0003993021.tif 000003
【図３】
0003993021.tif 000004
【図４】
0003993021.tif 000005
【図５】
0003993021.tif 000006
【図６】
0003993021.tif 000007
【図７】
0003993021.tif 000008
【図８】
0003993021.tif 000009
【図９】
0003993021.tif 000010
【図１０】
0003993021.tif 000011
【図１１】
0003993021.tif 000012